(57)【特許請求の範囲】
【請求項１】
人体の四肢の少なくともいずれかひとつに巻き付け可能なリストバンドであって、
情報を表示可能に設けられた帯状のバンド基材と、
バンド基材の表面全面に設けられた剥離剤層と、
バンド基材の裏面の一端部近傍に設けられた粘着剤層からなる粘着部と、
バンド基材の裏面の粘着剤層が設けられていない残余部分を糊なし部とし、
前記粘着部と前記糊なし部とを向かい合わせて貼着し、環状に形成可能であると共に、
前記粘着部の前記粘着剤層に着色剤が含まれており、
前記粘着剤層は、エマルジョン系、ソルベント系およびホットメルト系の粘着剤のうち一または複数を含むことを特徴とする台紙なしリストバンド。
【請求項２】
前記バンド基材の四隅を角丸形成したことを特徴とする請求項１記載の台紙なしリストバンド。
【請求項３】
前記バンド基材のうち少なくとも前記粘着部には、該バンド基材を貫通する複数の破断用切込みを形成したことを特徴とする請求項１または請求項２記載の台紙なしリストバンド。
【請求項４】
人体の四肢の少なくともいずれかひとつに巻き付けて情報を表示するリストバンドが複数連なったリストバンド連続体であって、
情報を表示可能な長尺帯状のバンド基材と、
該バンド基材の表面全面に設けられた剥離剤層と、を含み、
前記バンド基材および前記剥離剤層を貫通して前記リストバンド連続体をリストバンド一単位に区画するミシン目が等間隔で形成され、
該ミシン目によって区画された一単位のリストバンドの裏面には、前記ミシン目の隣接位置に粘着剤層が設けられて粘着部を形成すると共に、前記粘着剤層が設けられていない残余部分を糊なし部とし、
前記粘着部の前記粘着剤層に着色剤が含まれており、
前記粘着剤層は、エマルジョン系、ソルベント系およびホットメルト系の粘着剤のうち一または複数を含むことを特徴とする台紙なしリストバンド連続体。
【請求項５】
情報を表示可能な長尺帯状のバンド基材と、
該バンド基材の表面全面に設けられた剥離剤層と、
人体の四肢の少なくともいずれかひとつに巻き付けて情報を表示するリストバンドが複数連なったリストバンド連続体をリストバンド一単位に区画するミシン目が、前記バンド基材および前記剥離剤層を貫通して等間隔で形成され、
該ミシン目によって区画された一単位のリストバンドの裏面には、前記ミシン目の隣接位置に粘着剤層が設けられて粘着部を形成すると共に、前記粘着剤層が設けられていない残余部分を糊なし部とし、
かつ、
前記粘着部の前記粘着剤層に着色剤が含まれており、
ロール状に巻回されている台紙なしリストバンド連続体に、
電子プリンタで情報を印字する台紙なしリストバンド連続体の印字方法であって、
前記電子プリンタには、前記粘着部を検知する光学センサと、
前記台紙なしリストバンドの前記バンド基材の表面に情報を印字する印字部と、を有し、
前記電子プリンタの前記光学センサで前記粘着部を検知して前記印字部の印字動作を制御することを特徴とする台紙なしリストバンド連続体の印字方法。
【請求項６】
前記粘着部と前記糊なし部とは、光反射率が異なることを特徴とする請求項５に記載の台紙なしリストバンド連続体の印字方法。
【請求項７】
前記粘着部と前記糊なし部とは、色相が異なることを特徴とする請求項５または請求項６記載の台紙なしリストバンド連続体の印字方法。
【発明の詳細な説明】
【技術分野】
【０００１】
本発明は、台紙なしリストバンド、台紙なしリストバンド連続体および台紙なしリストバンド連続体の印字方法に係り、特に遊戯場分野や医療分野で入場者や患者の手首や足首等に環状に巻き付けることによって、人物を特定することができるようにした台紙なしリストバンド、台紙なしリストバンド連続体および台紙なしリストバンド連続体の印字方法に関する。
【背景技術】
【０００２】
遊園地等の遊戯施設では、入場者にチケットを発行し、このチケットによって会場や場内のアトラクションへの入場チェックを行う。チケットを紛失することなく携帯するためには、チケットホルダ等を別に用意して収納する必要がある。そのため、近年、チケットホルダを必要としないリストバンド型チケットの導入が進められている。
【０００３】
また、別の用途として、病院等の医療施設がある。医療施設では、医薬品の誤投与による医療過誤、あるいは患者の取り違え等を未然に防止するために、患者の氏名、年齢、性別、血液型等の患者固有の識別情報を表示したリストバンドが使用されている。
【０００４】
一般にリストバンドの形状は帯状で、これを手首や足首に巻き付けて両端部をクリップで留めて使用する。クリップは、オスクリップとメスクリップとで構成されており、オスクリップに形成されたボスをリストバンドの両端部に形成された留め孔に挿入し、これにメスクリップに形成された留め孔を嵌め合わせてリストバンドを環状に巻き留めるものである。クリップで留めたリストバンドは容易に外れることがなく、数週間単位の使用に耐えうる。（特許文献１）
【０００５】
しかし、このリストバンドの構成では、リストバンドを固定するためのクリップが必要となり、固定する作業が面倒であると共に、低コストでの提供が困難である。クリップを用いてリストバンドを固定すると、リストバンドの手首側に突起が生じるので、リストバンドの被装着者は肌に違和感を覚えることがある。また、留め孔が長手方向に飛び飛びにしか設けられていないため、このリストバンドは、ミリ単位の任意の径で巻き留められないという不便さがある。
【０００６】
そのため、図７に示すクリップを必要としないリストバンド３０が考えられた。このリストバンド３０は、帯状のバンド基材３１の表面にプレ印刷１１を施し、裏面の一端部近傍に両面粘着テープ３２を設けたものである。両面粘着テープ３２は粘着剤３３を台紙３４で覆ったものであり、手首や足首等に巻き付けた後、台紙３４を剥がして粘着剤３３を露出させ、バンド基材３１裏面の端部同士を貼り合わせて使用するので、手首の太さに応じて所望の位置に留めることができ、便利である。リストバンド３０の被装着者にとっては、肌に違和感を覚えることがなく、快適である。（特許文献２）
【０００７】
しかし、このリストバンド３０は便利な一方、粘着剤を覆う台紙３４が付いているため手首や足首等に装着する際に、台紙３４を剥がす手間を要することに加え、剥がした台紙３４がゴミになってしまう。
【０００８】
このリストバンド３０に対し、リストバンド３０一枚一枚に異なる情報の印字を行う場合は、リストバンド３０を複数連ねて巻回してロール状のリストバンド連続体にし、電子プリンタ２０で情報を印字する。
また、このロール状のリストバンド連続体は、リストバンド３０を一単位毎に区画するミシン目４を等間隔で形成すると共に、リストバンド３０一単位毎にタイミングマーク３５を印刷しておく。このタイミングマーク３５は、図３に示す電子プリンタ２０に搭載した光学センサ２３で検知され、リストバンド３０の印字開始位置等を制御するために用いる。
【０００９】
しかし、リストバンド３０の裏面にタイミングマーク３５を印刷するには、表面のプレ印刷１１（表面印刷）に加え、裏面印刷の印刷ユニット等の追加設備が必要になる。
【００１０】
【特許文献１】特開２００２−３６３８０８
【特許文献２】特開２００６−０３９２０９
【発明の開示】
【発明が解決しようとする課題】
【００１１】
本発明は、係る問題点に鑑みてなされたもので、人によって太さが異なる手首や足首等でも、リストバンドを巻き付けて固定する際には、所望の位置で貼着固定可能となる作業性の良い台紙なしリストバンドおよび台紙なしリストバンド連続体を提供することを課題とする。
【００１２】
また、本発明は、リストバンドを留める際にクリップを必要とせず、さらに両面粘着テープを用いたリストバンドとは異なって、台紙を剥がす手間が無く、剥がした台紙がゴミにならないと共に、手首や足首に巻き付け勝手の良い台紙なしリストバンドおよび台紙なしリストバンド連続体を提供することを課題とする。
【００１３】
また、本発明は、光学センサを有する電子プリンタ等で印字する際に、タイミングマークとしても利用可能な粘着部を設けることによって、タイミングマークの裏面印刷工程を省いて生産工程を簡略化した台紙なしリストバンド連続体の印字方法を提供することを課題とする。
【課題を解決するための手段】
【００１４】
本発明の第一の発明は、人体の四肢の少なくともいずれかひとつに巻き付け可能なリストバンドであって、情報を表示可能に設けられた帯状のバンド基材と、バンド基材の表面全面に設けられた剥離剤層と、バンド基材の裏面の一端部近傍に設けられた粘着剤層からなる粘着部と、バンド基材の裏面の粘着剤層が設けられていない残余部分を糊なし部とし、粘着部と糊なし部とを向かい合わせて貼着し、環状に形成可能であると共に、前記粘着部の前記粘着剤層に着色剤が含まれていることを特徴とする台紙なしリストバンドである。
第二の発明は、人体の四肢の少なくともいずれかひとつに巻き付けて情報を表示するリストバンドが複数連なったリストバンド連続体であって、情報を表示可能な長尺帯状のバンド基材と、該バンド基材の表面全面に設けられた剥離剤層と、を含み、前記バンド基材および前記剥離剤層を貫通して前記リストバンド連続体をリストバンド一単位に区画するミシン目が等間隔で形成され、該ミシン目によって区画された一単位のリストバンドの裏面には、前記ミシン目の隣接位置に粘着剤層が設けられて粘着部を形成すると共に、前記粘着剤層が設けられていない残余部分を糊なし部とし、前記粘着部の前記粘着剤層に着色剤が含まれていることを特徴とする台紙なしリストバンド連続体である。
第三の発明は、情報を表示可能な長尺帯状のバンド基材と、該バンド基材の表面全面に設けられた剥離剤層と、前記バンド基材および前記剥離剤層を貫通して前記リストバンド連続体をリストバンド一単位に区画するミシン目が等間隔で形成され、該ミシン目によって区画された一単位のリストバンドの裏面には、前記ミシン目の隣接位置に粘着剤層が設けられて粘着部を形成すると共に、前記粘着剤層が設けられていない残余部分を糊なし部とし、かつ、前記粘着部の前記粘着剤層に着色剤が含まれており、ロール状に巻回されている台紙なしリストバンド連続体に、電子プリンタで情報を印字する台紙なしリストバンド連続体の印字方法であって、前記電子プリンタには、前記粘着部を検知する光学センサと、前記台紙なしリストバンドの前記バンド基材の表面に情報を印字する印字部と、を有し、前記電子プリンタの前記光学センサで前記粘着部を検知して前記印字部の印字動作を制御することを特徴とする台紙なしリストバンド連続体の印字方法である。
台紙なしリストバンドの上記バンド基材の四隅には、角丸を形成することができる。
台紙なしリストバンドの上記バンド基材のうち少なくとも上記粘着部には、該バンド基材を貫通する複数の破断用切込みを形成することができる。
台紙なしリストバンド連続体の印字方法においては、台紙なしリストバンド連続体の前記粘着部と前記糊なし部とは、光反射率が異なっていることが望ましい。
台紙なしリストバンド連続体の印字方法においては、台紙なしリストバンド連続体の前記粘着部と前記糊なし部とは、色相が異なっていることが望ましい。
【発明の効果】
【００１５】
本発明の台紙なしリストバンドおよび台紙なしリストバンド連続体は、粘着剤で留める際に粘着剤を被覆するための台紙がないので、使用する際にゴミが出ず、廃棄物の削減に寄与する他、省資源に貢献するという効果がある。
また、本発明の台紙なしリストバンドは、粘着部を着色しているので粘着部が視認可能になり、粘着部を糊なし部に貼着して手首や足首に巻き付ける際の目安になる。
さらに、本発明の台紙なしリストバンドおよび台紙なしリストバンド連続体は、粘着部をタイミングマークとして用いるので、裏面へのタイミングマークの印刷を省略でき、材料ロスの低減に繋がると共に、裏面印刷に伴う印刷ユニットが不要になるという効果がある。
台紙なしリストバンド連続体の印字方法においては、着色された粘着部がリストバンドの位置を把握して印字動作を制御するためのタイミングマークとして利用できるので、タイミングマークが無くても良いという効果がある。
【図面の簡単な説明】
【００１６】
【図１】本発明の台紙なしリストバンド連続体の斜視図。
【図２】本発明の台紙なしリストバンドの説明図であって、図２（ａ）はその台紙なしリストバンドの平面図、図２（ｂ）は図２（ａ）の裏面図、図２（ｃ）は図２（ａ）のｃ−ｃ線断面図。
【図３】ロール状の台紙なしリストバンド連続体に文字情報を印字するための電子プリンタの概略側面図。
【図４】台紙なしリストバンドを手首や足首等の被巻付け部に巻き付けた形態を示す斜視図。
【図５】別の実施例における本発明の台紙なしリストバンド連続体の斜視図。
【図６】別の実施例における本発明の台紙なしリストバンドの説明図であって、図６（ａ）はその台紙なしリストバンドの平面図、図６（ｂ）は図６（ａ）の裏面図、図６（ｃ）は図６（ａ）のｃ−ｃ線断面図。
【図７】従来のリストバンドの説明図であって、図７（ａ）はそのリストバンドの平面図７（ｂ）は図７（ａ）の裏面図、図７（ｃ）は図７（ａ）のｃ−ｃ線断面図。
【発明を実施するための最良の形態】
【００１７】
以下、本発明の実施の形態について図面を用いて詳細に説明する。
【００１８】
図１に、台紙なしリストバンド連続体１の斜視図を示す。この台紙なしリストバンド連続体１は、台紙なしリストバンド２を長手方向に複数連続形成して長尺な帯状とし、円筒形状の巻芯３に巻回してロール状にしたものである。台紙なしリストバンド連続体１は、等間隔に設けられたミシン目４によって、一単位毎に切り離し可能となっている。
【００１９】
図２（ａ）（ｂ）（ｃ）に、台紙なしリストバンド２を示す。図２（ａ）は台紙なしリストバンド２を印字面（表面）から見た平面図である。図２（ｂ）は図２（ａ）を反対の面（裏面）から見た平面図である。図２（ｃ）は図２（ａ）のｃ−ｃ線断面図である。
本発明の台紙なしリストバンド２は、長尺帯状のバンド基材５と、このバンド基材５の表面に透明の剥離剤を全面塗布して設けられた剥離剤層６と、バンド基材５の裏面の一端部近傍に粘着剤を塗布して設けられた粘着剤層７と、からなる。
【００２０】
バンド基材５は、片面に熱を加えると発色するサーマル層を設けた合成樹脂フィルムで、後述する電子プリンタ２０（図３）によって情報１３が印字される。
バンド基材５として使用する合成樹脂フィルムは、例えば、ＰＥＴフィルム、ＰＥフィルム、ＰＰフィルム、合成紙等が挙げられる。特に表面にサーマル層を設けた合成紙サーマル、ＰＥＴサーマル等で、バンド基材５の表裏両面が白色であると好適である。
【００２１】
剥離剤層６は、バンド基材５の表面全面に紫外線硬化型のシリコーンを含む透明な剥離剤を印刷または塗工したものである。その他に熱硬化型のシリコーン、アルキルペンダントポリマー、フッ素系樹脂等が使用可能である。
【００２２】
バンド基材５と剥離剤層６との間の一部には、リストバンドの使用方法等を表示したプレ印刷１１が施されている。プレ印刷１１は、紫外線硬化型インキ等の印刷インキによって印刷され、透明な剥離剤層６を透して台紙なしリストバンド２の表面側からこの情報１３を視認可能である。
【００２３】
図２（ｃ）に示すように、バンド基材５の裏面の一端部近傍には、粘着剤層７を設けた粘着部８が形成されている。この粘着部８以外の残余部分は粘着剤層７のない糊なし部９になっている。
【００２４】
粘着部８の粘着剤層７は、着色剤を含んだ粘着剤である。
粘着剤は、例えば、エマルジョン系（粘着剤を水に分散したもの）、ソルベント系（粘着剤を溶剤に溶解したもの）、ホットメルト系（熱可塑性を利用したもの）等である。材質としては、合成ゴム系や天然ゴム系、アクリル樹脂系、ポリビニルエーテル樹脂系、ウレタン樹脂系、シリコーン樹脂系等の粘着剤が挙げられる。
【００２５】
粘着剤の粘着特性は、強粘、超強粘、冷凍糊等と呼ばれる粘着力が比較的強いもの（例えば、４９００ｍＮ／２５ｍｍ以上、望ましくは７８４０ｍＮ／２５ｍｍ以上，ＪＩＳ  Ｚ−１５３８）を使用する。
【００２６】
粘着剤層７に添加する着色剤は、有機系あるいは無機系の顔料または染料等で任意のものを使用する。
【００２７】
顔料は、例えば、カーボンブラック、二酸化チタン、酸化亜鉛、酸化鉄、酸化クロム、鉄黒、コバルトブルー、アルミナ白、酸化鉄黄、ビリジアン、硫化亜鉛、リトポン、朱、カドミウムレッド、黄鉛、モリブデートオレンジ、ジンククロメート、ストロンチウムクロメート、ホワイトカーボン、クレィ、タルク、群青、沈降性硫酸バリウム、バライト粉、炭酸カルシウム、鉛白、紺青、マンガンバイオレット等の無機系顔料や、ローダミンレーキ、メチルバイオレットレーキ、キノリンエローレーキ、マラカイトグリーンレーキ、アリザリンレーキ、カーミン６Ｂ、レーキレッドＣ、ジスアゾエロー、レーキレッド４Ｒ、クロモフタルエロー３Ｇ、クロモフタルスカーレットＲＮ、ニッケルアゾエロー、パーマネントオレンジＨＬ、フタロシアニンブルー、フタロシアニングリーン、フラバンスロンエロー、チオインジゴボルドー、ペリノンレッド、ジオキサドンバイオレット、キナクリドンレッド、ナフトールエローＳ、ピグロントグリーンＢ、アルカリブルー、アニリンブラック等の有機系顔料が挙げられる。
染料は、例えば、アナトー色素、アルカネット色素、アントシアニン色素、ウコン色素、カラメル色素、カロチン色素、カロチノイド色素、クチナシ色素、コチニール色素、食用タール系色素、銅クロロフィル、銅クロロフィリンナトリウム、パプリカ色素、ベニコウジ色素、ベニバナ色素、フラボノイド色素等が使用可能である。具体的には、アマランス（赤色２号）、エリスロシン（赤色３号）、アルラレッドＡＣ（赤色４０号）、ニューコクシン（赤色１０２号）、フロキシン（赤色１０４号）、ローズベンガル（赤色１０５号）、アシッドレッド（赤色１０６号）、タートラジン（黄色４号）、サンセットイエローＦＣＮ（黄色5号）、ファストグリーンＦＣＮ（緑色3号）、ブリリアントブルーＦＣＦ（青色１号）、インジゴカルミン（青色２号）等が挙げられる。
尚、これら顔料もしくは染料は一種類もしくは複数種類混合して使用する。
【００２８】
粘着部８の粘着剤層７の形状は、矩形状で、この矩形状の粘着剤層７の側縁をバンド基材５の長手方向と平行になるようにパターン塗工したものである。矩形状の粘着部８の先端は、台紙なしリストバンド連続体１の長手方向と直交する。
さらに、粘着剤層７の幅Ｗ１は、バンド基材５の幅Ｗよりも狭く設ける。すなわち、バンド基材５の幅方向の両縁には粘着剤層７が設けられていない構成となる。（バンド基材５の幅Ｗ＞粘着剤層７の幅Ｗ１）
【００２９】
このように構成される単葉の台紙なしリストバンド２を長手方向に複数連ねて形成し、その先端部を円筒形状の巻芯３に固着させ巻回すると、図１に示すロール状の台紙なしリストバンド連続体１になる。このロール状の台紙なしリストバンド連続体１は、バンド基材５の裏面に設けられた粘着剤層７がロールの内周側に、バンド基材５の表面に設けられた剥離剤層６がロールの外周側に位置する形態である。バンド基材５の表面全面には剥離剤層６が設けられているので、ロールの内周面に位置する台紙なしリストバンド２に貼り付くことがない。
【００３０】
本発明の台紙なしリストバンド２および台紙なしリストバンド連続体１は、以下のように使用する。図３にロール状の台紙なしリストバンド連続体１の表面に情報１３を印字するための電子プリンタ２０を示す。
【００３１】
図３に示す電子プリンタ２０の主要部は、ロール保持軸２１、案内ローラ２２、光学センサ２３、サーマルヘッド２４、プラテンローラ２５、カッタ装置２７、発行口２６から構成される。各ローラには、台紙なしリストバンド２の粘着剤が貼り付かないように離型処理が施されている。
【００３２】
印字する際は、まずロール状の台紙なしリストバンド連続体１を電子プリンタ２０のロール保持軸２１にセットする。
【００３３】
ロール保持軸２１にセットされた台紙なしリストバンド連続体１は、案内ローラ２２、光学センサ２３、サーマルヘッド２４、プラテンローラ２５を経て、発行口２６から発行される。
【００３４】
光学センサ２３は、移送されてきた台紙なしリストバンド連続体１の裏面にある粘着部８（粘着剤層７）を検知するためのものである。すなわち、光学センサ２３は粘着部８（粘着剤層７）をタイミングマークとして検知し、台紙なしリストバンド２の一単位を判断すると共に、下流のサーマルヘッド２４による印字位置の制御を行う。その後、台紙なしリストバンド連続体１は、サーマルヘッド２４とプラテンローラ２５とによって狭持移送される。同時に、サーマルヘッド２４の発熱によって台紙なしリストバンド連続体１のサーマル層が発色し、個人識別用の情報１３が印字され、発行口２６から発行される。尚、この電子プリンタ２０では、一単位毎に異なる情報１３（いわゆる可変情報）を印字する。
【００３５】
ここで、光学センサ２３は、発光素子と受光素子とを有し、発光素子からリストバンド連続体に発行した光を受光素子で受光することによって、リストバンド連続体の光反射率の相違を検知する反射センサである。台紙なしリストバンド連続体１においては、粘着部８（タイミングマーク）の色が糊なし部９より光反射率の低い粘着剤で形成されているため、粘着部８（タイミングマーク）の光反射率と、糊なし部９の光反射率とが相違することが判別され、印字開始位置の決定が行われる。例えば、粘着剤をカーボンブラック（黒色）で着色した場合、バンド基材５の裏面（白色）と光反射率が大きく異なるため、光反射率の差は容易に検知可能となる。
【００３６】
また、粘着部８を検知する光学センサ２３は、台紙なしリストバンド連続体１をリストバンド一単位毎に切断するカッタ装置２７を使用する場合にも使用される。カッタ装置２７は、電子プリンタ２０の発行口２６付近に設けられ、光学センサ２３が粘着部８を検出したタイミングに基づいて切断を行うことができる。
【００３７】
印字された情報１３は、例えば病院等の医療施設において、患者を特定するためにバンド基材５の表面の中央部に氏名、年齢、性別、血液型やそれらに対応するバーコード、二次元コード等の患者固有のものである。
また、遊園地等の遊戯施設の場合には、バンド基材５の表面の中央部に日付やバーコード等の情報１３が印字され、入場券や遊戯券として使用される。
この情報１３は、透明な剥離剤層６を透して視認可能になっている。
【００３８】
次に、印字発行した複数の台紙なしリストバンド連続体１をミシン目４で切り離して一単位の台紙なしリストバンド２にする。切り離された一単位の台紙なしリストバンド２は、粘着部８の粘着剤層７が露出している。
【００３９】
電子プリンタ２０で印字発行し、ミシン目４で切り離され一単位になった台紙なしリストバンド２は、図４に示すように、手首や足首等の被巻付け部Ｈを周回させた後、台紙なしリストバンド２の裏面の粘着部８と糊なし部９とを向かい合わせて貼着して取り付ける。
図４は、電子プリンタ２０で印字した台紙なしリストバンド２を手首や足首等の被巻付け部Ｈに巻き付けた形態を示したものである。
【００４０】
このように、粘着部８を糊なし部９に貼着して手首や足首に巻き付ける場合、粘着部８の粘着剤層７自体が着色されているので、粘着剤層７の位置関係が目視で確認でき、糊なし部９との位置合わせも容易に行え、最適な環状径を形成することができる。
取り付け作業において、本発明の台紙なしリストバンド２には、台紙３４がないので、台紙３４を剥がす手間がなくなる。台紙がゴミにならず、廃棄物の削減に寄与する他、省資源に貢献するものである。
電子プリンタ２０の光学センサ２３で台紙なしリストバンド連続体１に印字する際、着色された粘着剤７（粘着部８）がタイミングマークとして検知するため、タイミングマークを印刷しておく必要がないという効果を奏する。
粘着剤層７（粘着部８）がバンド基材５の幅方向の両縁部よりも幅狭に設けられているため、幅方向の両縁から粘着剤がはみ出すこともない。手首や足首等に粘着剤が付着してべたつく不都合も生じない。
さらには、この台紙なしリストバンド２を特に子供や女性の細い手首や足首に巻き付けて貼着した場合は、リストバンドの径が小さくなるために台紙なしリストバンド２の一端部が余剰に突き出てしまう。この場合は、はさみ等の切断用具でこの余剰部２８を切断して取り除いても良い。
【００４１】
台紙なしリストバンド２の使用期間が過ぎて不要になった後も、はさみ等の切断用具で切断して取り外す。または、粘着部８と糊なし部９とを引き離して取り外しても良い。
【００４２】
次に、図５および図６を用いて別の実施例を詳細に説明する。
【００４３】
図５に別の実施例における本発明の台紙なしリストバンド連続体１の斜視図を示す。図６（ａ）（ｂ）に別の実施例における一単位の台紙なしリストバンド２を示す。図６（ａ）は台紙なしリストバンド２を印字面から見た平面図である。図６（ｂ）は図６（ａ）を反対の面から見た裏面図である。図６（ｃ）は図６（ａ）ののｃ−ｃ線断面図である。
【００４４】
図５に示すロール状の台紙なしリストバンド連続体１は、各ミシン目４の両端部に切り欠き１６を設けたものである。図６に示す切り欠き１６は、各ミシン目４の両端部からバンド基材５の内側に向かって切り欠いた結果、単葉の台紙なしリストバンド２の四隅端の丸まった、いわゆる角丸形状になっている。そのため、台紙なしリストバンド連続体１からミシン目４を介して単葉の台紙なしリストバンド２に切り離す際、台紙なしリストバンド２の四隅端のいずれも指で摘み易くなるため、切り離し作業が簡便になる。また、切り離した台紙なしリストバンド２を手首や足首等に巻き付けた後、台紙なしリストバンド２の四隅端が丸まっているため、被装着者の肌を傷つけることがない。
【００４５】
本発明の台紙なしリストバンド連続体１は、粘着部８に破断用切込み１４を入れて、再利用および不正行為を防ぐこともできる。図６に示すように、粘着部８には、この範囲内に複数の破断用切込み１４が各層（剥離剤層６とバンド基材５と粘着剤層７）を貫いて設けられている。破断用切込み１４の形状は略Ｕ字形状で、その両端を結ぶ線分は、バンド基材５の幅方向に略平行である。
糊なし部９にも、略Ｕ字形状の破断用切込み１５が各層（剥離剤層６とバンド基材５）を貫いて複数設けられている。尚、糊なし部９に設けられる破断用切込み１５は、粘着部８の破断用切込み１４よりも形成範囲が広範囲にわたって形成されている。破断用切込み１５の略Ｕ字形状の開放向きは隣同士が互い違い（１８０度回転した向き）に配置形成されている。
無理に引き離し取り外そうとした場合、粘着部８と糊なし部９は強く貼着しているため、台紙なしリストバンド２は略Ｕ字形状の破断用切込み１４・１５から裂けてしまう。特に、遊園地等の遊戯施設やコンサート会場等で使用する場合において、この破断用切込み１４・１５を形成することによって、台紙なしリストバンド２が破損して再利用が困難となり、不正行為の防止に役立つ。
手首や足首から力ずくで台紙なしリストバンド２を引き離そうとした場合、糊なし部９の破断用切込み１５の形成範囲が粘着部８の破断用切込み１４よりも広範囲にわたって形成されていると共に、破断用切込み１５の略Ｕ字形状の開放向きは隣り合う破断用切込み１５と互い違い（１８０度回転した向き）に配置形成されているので、手首や足首等に貼着した台紙なしリストバンド２を取り外す場合は、粘着部８および糊なし部９に設けられた破断用切込み１４・１５がきっかけとなって台紙なしリストバンド２が破断してしまう。
【００４６】
破断用切込み１４・１５の形状については、例えばＶ字形のような直線の組み合わせでも、Ｓ字のような曲線でも良い。この他、Ｈ字やＪ字、Ｌ字、Ｍ字、Ｎ字、Ｔ字、Ｘ字、Ｙ字、Ｚ字のような形状であっても構わない。
【００４７】
尚、本実施の形態では、ロール状に巻回した台紙なしリストバンド連続体１を用いて、電子プリンタ２０で連続的に異なる情報１３を印字発行する方法を説明したが、これに限らず、折り畳み状としたファンフォールド状の台紙なしリストバンド連続体１を電子プリンタ２０にセットして印字発行することも可能である。
【００４８】
尚、本実施の形態では、粘着部８（タイミングマーク）と糊なし部９とを光反射率の違いで検知する光学センサ２３を用いて説明したが、ＲＧＢカラーセンサであっても良い。ＲＧＢカラーセンサは、波長が３８０ｎ〜７８０ｎｍの範囲の可視光線領域を赤（Ｒ）、緑（Ｇ）、Ｂ（青）のそれぞれの色信号に分けて検出可能なセンサであって、粘着部８（タイミングマーク）と糊なし部９とを色相の違いによってリストバンドを一単位毎に検知可能である。
よって、粘着部８の粘着剤に混合する着色剤の色は、波長が３８０〜７８０ｎｍであれば、紫色、青色や紺色あるいは緑色、黄色、橙色、赤色等で印刷しても良い。
【００４９】
また、本実施の形態では本発明の台紙なしリストバンド２を病院等の医療施設で患者識別のために使用されるリストバンドに適用した例で説明したが、本発明の適用は、これに限定されるものではなく、あらゆる用途のリストバンドに適用することができる。例えば、遊園地等の遊戯施設やコンサート会場では入場チケットとして、また、スキー場等ではリフト券として使用可能である。
【符号の説明】
【００５０】
１    台紙なしリストバンド連続体
２    台紙なしリストバンド
３    巻芯
４    ミシン目
５    バンド基材
６    剥離剤層
７    粘着剤層
８    粘着部（タイミングマーク）
９    糊なし部
１１  プレ印刷
１３  情報
１４  破断用切込み
１５  破断用切込み
１６  切り欠き
２０  電子プリンタ
２１  ロール支持軸
２２  案内ローラ
２３  光学センサ
２４  サーマルヘッド
２５  プラテンローラ
２６  発行口
２７  カッタ装置
２８  余剰部
３０  リストバンド
３１  バンド基材
３２  両面粘着テープ
３３  粘着剤
３４  台紙
３５  タイミングマーク（従来）
Ｗ  バンド基材の幅
Ｗ１  粘着剤層の幅  
Ｈ  被巻付け部
【図１】
0005951222.tif 000002
【図２】
0005951222.tif 000003
【図３】
0005951222.tif 000004
【図４】
0005951222.tif 000005
【図５】
0005951222.tif 000006
【図６】
0005951222.tif 000007
【図７】
0005951222.tif 000008